(57)【要約】  ピクチャ・クロッピング機能を提供するための方法および装置は、ユーザがユーザ入力デバイスの個別ナビゲーション・キーを使用して好都合且つ直接的な方式でピクチャをクロップできるようにする。例示的な一実施例によれば、装置（１００）は、第１のモード中にオーディオとビデオのうち少なくとも一方の出力を提供するように動作可能な第１のプロセッサ（５０）を備える。第２のプロセッサ（６０）は、第２のモード中に、ユーザが装置（１００）のユーザ入力デバイス（１０）の個別ナビゲーション・キー（１１、１３、１５、１７）を使用してピクチャをクロップできるようにすることによって、ピクチャ・クロッピング機能を提供するように動作可能である。
2008519469.tif 000002
【特許請求の範囲】
【請求項１】
装置を操作する方法であって、
第１のモード中にオーディオとビデオのうち少なくとも一方の出力を提供するステップと、
第２のモード中に、ユーザが前記装置のユーザ入力デバイスのナビゲーション・キーを使用してピクチャをクロップできるようにすることによって、ピクチャ・クロッピング機能を提供するステップとを含む、前記方法。
【請求項２】
前記ピクチャの各縁部が独立してクロップされて、前記ピクチャとは異なるアスペクト比のクロップ済みピクチャが生成される、請求項１に記載の方法。
【請求項３】
前記ピクチャは第１、第２、第３、および第４の縁部を備え、
前記第１の縁部は前記第２の縁部に対して直角であり、
前記第２の縁部は前記第３の縁部に対して直角であり、
前記第３の縁部は前記第４の縁部に対して直角であり、
前記第４の縁部は前記第１の縁部に対して直角であり、
前記ユーザ入力デバイスは第１、第２、第３、および第４のナビゲーション・キーを備え、
前記第１および第３のナビゲーション・キーは、前記ユーザが前記第１および第３の縁部を調整することを可能にし、
前記第２および第４のナビゲーション・キーは、前記ユーザが前記第２および第４の縁部を調整することを可能にする、請求項１に記載の方法。
【請求項４】
前記ユーザ入力デバイスはさらに所定キーを備え、
前記所定キーは、前記ユーザが前記第１、第２、第３、および第４の縁部について所定位置の選択を確定するのを可能にする、請求項３に記載の方法。
【請求項５】
前記所定キーはさらに、前記ユーザが前記第１、第２、第３、および第４の縁部の間で縁部調整機能を切り換えることを可能にする、請求項４に記載の方法。
【請求項６】
前記ピクチャは、前記ピクチャを取得したデバイスから直接に前記装置に入力される、請求項１に記載の方法。
【請求項７】
第１のモード中にオーディオとビデオのうち少なくとも一方の出力を提供するための第１の処理手段（５０）と、
第２のモード中に、ユーザが装置（１００）のユーザ入力デバイス（１０）のナビゲーション・キー（１１、１３、１５、１７）を使用してピクチャをクロップできるようにすることによって、ピクチャ・クロッピング機能を提供するための第２の処理手段（６０）とを備える装置（１００）。
【請求項８】
前記第２の処理手段（６０）は、前記ユーザが前記ピクチャの各縁部を独立して調整して、前記ピクチャとは異なるアスペクト比のクロップ済みピクチャを生成できるようにする、請求項７に記載の装置（１００）。
【請求項９】
前記ピクチャは第１、第２、第３、および第４の縁部を備え、
前記第１の縁部は前記第２の縁部に対して直角であり、
前記第２の縁部は前記第３の縁部に対して直角であり、
前記第３の縁部は前記第４の縁部に対して直角であり、
前記第４の縁部は前記第１の縁部に対して直角であり、
前記ユーザ入力デバイス（１０）は第１、第２、第３、および第４のナビゲーション・キー（１１、１３、１５、１７）を備え、
前記第１および第３のナビゲーション・キー（１１、１５）は、前記ユーザが前記第１および第３の縁部を調整することを可能にし、
前記第２および第４のナビゲーション・キー（１３、１７）は、前記ユーザが前記第２および第４の縁部を調整することを可能にする、請求項７に記載の装置（１００）。
【請求項１０】
前記ユーザ入力デバイス（１０）はさらに所定キー（１９）を備え、
前記所定キー（１９）は、前記ユーザが前記第１、第２、第３、および第４の縁部について所定位置の選択を確定することを可能にする、請求項９に記載の装置（１００）。
【請求項１１】
前記所定キー（１９）はさらに、前記ユーザが前記第１、第２、第３、および第４の縁部の間で縁部調整機能を切り換えることを可能にする、請求項１０に記載の装置（１００）。
【請求項１２】
前記ピクチャは、前記ピクチャを取得したデバイスから直接に前記装置（１００）に入力される、請求項７に記載の装置（１００）。
【請求項１３】
第１のモード中にオーディオとビデオのうち少なくとも一方の出力を提供するように動作可能な第１のプロセッサ（５０）と、
第２のモード中に、ユーザがテレビジョン信号受信機（１００）のユーザ入力デバイス（１０）のナビゲーション・キー（１１、１３、１５、１７）を使用してピクチャをクロップできるようにすることによって、ピクチャ・クロッピング機能を提供するように動作可能な第２のプロセッサ（６０）とを備えるテレビジョン信号受信機（１００）。
【請求項１４】
前記第２のプロセッサ（６０）は、前記ユーザが前記ピクチャの各縁部を独立して調整して、前記ピクチャとは異なるアスペクト比のクロップ済みピクチャを生成できるようにする、請求項１３に記載のテレビジョン信号受信機（１００）。
【請求項１５】
前記ピクチャは第１、第２、第３、および第４の縁部を備え、
前記第１の縁部は前記第２の縁部に対して直角であり、
前記第２の縁部は前記第３の縁部に対して直角であり、
前記第３の縁部は前記第４の縁部に対して直角であり、
前記第４の縁部は前記第１の縁部に対して直角であり、
前記ユーザ入力デバイス（１０）は第１、第２、第３、および第４のナビゲーション・キー（１１、１３、１５、１７）を備え、
前記第１および第３のナビゲーション・キー（１１、１５）は、前記ユーザが前記第１および第３の縁部を調整することを可能にし、
前記第２および第４のナビゲーション・キー（１３、１７）は、前記ユーザが前記第２および第４の縁部を調整することを可能にする、請求項１３に記載のテレビジョン信号受信機（１００）。
【請求項１６】
前記ユーザ入力デバイス（１０）はさらに所定キー（１９）を備え、
前記所定キー（１９）は、前記ユーザが前記第１、第２、第３、および第４の縁部について所定位置の選択を確定することを可能にする、請求項１５に記載のテレビジョン信号受信機（１００）。
【請求項１７】
前記所定キー（１９）はさらに、前記ユーザが前記第１、第２、第３、および第４の縁部の間で縁部調整機能を切り換えることを可能にする、請求項１６に記載のテレビジョン信号受信機（１００）。
【請求項１８】
前記ピクチャは、前記ピクチャを取得したデバイスから直接に前記テレビジョン信号受信機（１００）に入力される、請求項１３に記載のテレビジョン信号受信機（１００）。
【発明の詳細な説明】
【技術分野】
【０００１】
本発明は一般にピクチャ・クロッピングに関し、より詳細には、ユーザがユーザ入力デバイスのナビゲーション・キーを使用して好都合且つ直接的な方式でピクチャをクロップすることを特に可能にするピクチャ・クロッピング機能を提供するための方法および装置に関する。
【背景技術】
【０００２】
ピクチャ・クロッピングは、ピクチャの望ましくない部分を除去するための有用な機能である。例えば、ユーザがピクチャから特定の物または人物を除去するためにピクチャをクロップしたい場合がある。現在、ピクチャ・クロッピングは、ユーザにとって不便で時間のかかるプロセスである傾向がある。具体的には、ピクチャをクロップするには、ユーザはまず、ディジタル・カメラなどのピクチャ取得デバイスから、クロップすべきピクチャを含むピクチャ・ファイル（例えばＪＰＥＧやその他のフォーマットの）を得ることができる。次いでユーザは、クロップすべきピクチャを含むピクチャ・ファイルを、専用のイメージング・ソフトウェアを備えるコンピュータに入力し、ピクチャをクロップしてクロップ済みピクチャを作成することができる。その後、ユーザが別の装置またはデバイス（例えばＤＶＤプレーヤ）を使用してクロップ済みピクチャを閲覧したい場合は、ユーザは次いで、クロップ済みピクチャを他の装置またはデバイスに別途入力しなければならない。このプロセスは、ユーザにとって不便で時間がかかる傾向がある。というのは、ユーザはピクチャ入力プロセスを別々に２回（すなわちピクチャをクロップするためにコンピュータに対して１回と、閲覧のために他の装置またはデバイスに対して１回）実施しなければならないからである。
【０００３】
既存のピクチャ・クロッピング技法に伴う別の問題は、コンピュータによって利用されるイメージング・ソフトウェアでは、ユーザはコンピュータのマウス・デバイスを利用してピクチャの特定の縁部を選択し（縁部は１度に１つしか動かせない）、それによりピクチャをクロップする必要があることである。マウス・デバイスは連続的なナビゲーション・デバイスなので、ユーザがピクチャの縁部を所望の方式で正確に調整するのはしばしば難しい。その結果、ユーザは、最も適切なクロップ済みピクチャを得られない場合がある。
【０００４】
従って、前述の問題に対処し、それによりユーザがユーザ入力デバイスのナビゲーション・キーを使用して好都合且つ直接的な方式でピクチャをクロップすることをとりわけ可能にするピクチャ・クロッピング機能を提供するための方法および装置が必要とされている。本発明は、これらおよび／または他の課題を対象とする。
【発明の開示】
【０００５】
（発明の概要）
本発明の一態様によれば、装置を操作する方法が開示される。例示的な一実施例によれば、この方法は、第１のモード中にオーディオとビデオのうち少なくとも一方の出力を提供するステップと、第２のモード中に、ユーザが装置のユーザ入力デバイスのナビゲーション・キーを使用してピクチャをクロップできるようにすることによって、ピクチャ・クロッピング機能を提供するステップとを含む。
【０００６】
本発明の別の態様によれば、装置が開示される。例示的な一実施例によれば、この装置は、第１のモード中にオーディオとビデオのうち少なくとも一方の出力を提供するための第１の処理手段を備える。第２の処理手段は、第２のモード中に、ユーザが装置のユーザ入力デバイスのナビゲーション・キーを使用してピクチャをクロップできるようにすることによって、ピクチャ・クロッピング機能を提供する。
【０００７】
本発明の別の態様によれば、テレビジョン信号受信機が開示される。例示的な一実施例によれば、このテレビジョン信号受信機は、第１のモード中にオーディオとビデオのうち少なくとも一方の出力を提供するように動作可能な第１のプロセッサを備える。第２のプロセッサは、第２のモード中に、ユーザがテレビジョン信号受信機のユーザ入力デバイスのナビゲーション・キーを使用してピクチャをクロップできるようにすることによって、ピクチャ・クロッピング機能を提供するように動作可能である。
【０００８】
本発明の前述および他の特徴および利点、ならびにそれらを達成する方法は、本発明の実施例に関する後続の記述を添付の図面と共に参照することによって、より明らかになり、本発明はよりよく理解されるであろう。
【０００９】
本明細書に述べる例示は、本発明の好ましい実施例を説明するものであり、このような例示は、本発明の範囲をどんな形式でも限定するものと解釈すべきではない。
【発明を実施するための最良の形態】
【００１０】
ここで図面、特に図１を参照しながら、本発明を実施するのに適した例示的な環境を示す。図１の例示的な環境は、ユーザ入力デバイス１０などのユーザ入力手段と、オーディオ／ビデオ（Ａ／Ｖ）装置１００とを含む。例示的な一実施例によれば、Ａ／Ｖ装置１００は、テレビジョン信号受信機やＤＶＤレコーダなどの消費者用電子デバイスとして実現されるが、一体型の表示デバイスを備えるかどうかにかかわらず、別のタイプのデバイスまたは装置として実現されてもよい。
【００１１】
ユーザ入力デバイス１０は、Ａ／Ｖ装置１００および／または他のデバイスの動作を制御する制御信号を生成して出力するように動作可能である。例示的な一実施例によれば、ユーザ入力デバイス１０は、個別ナビゲーション・キーを含めた複数の入力キーを備え、ユーザがその入力キーを押すのに応答して、有線および／または無線（例えば赤外線や無線周波数（ＲＦ）リンクなど）方式で制御信号を出力する。ユーザ入力デバイス１０は例えば、ハンドヘルド・リモート制御デバイス、有線および／または無線キーボード、Ａ／Ｖ装置１００の一体型の制御パネル、且つ／あるいは、個別ナビゲーション・キーを有するその他のユーザ入力デバイスとして実現することができる。ユーザ入力デバイス１０に関するこれ以上の詳細は、後で本明細書に提供する。
【００１２】
Ａ／Ｖ装置１００は、オーディオおよび／またはビデオ出力機能と、ピクチャ／クロッピング機能とを含めて、様々な機能を実施するように動作可能である。例示的な一実施例によれば、Ａ／Ｖ装置１００は少なくとも２つの異なる動作モードを含み、本明細書ではこれらを第１のモードおよび第２のモードと呼ぶ。第１のモード中に、Ａ／Ｖ装置１００は、地上、ケーブル、衛星、インターネット、および／またはその他の信号源など、１つまたは複数の信号源から、アナログおよび／またはディジタル・フォーマットのオーディオおよび／またはビデオ信号を含めた信号を受信し、これらの受信信号に対応するオーディオおよび／またはビデオ出力を提供するように動作可能である。Ａ／Ｖ装置１００はまた、第１のモード中に、受信信号を処理して、得られた処理済み信号を１つまたは複数の他のデバイスに提供するとともに、他のデバイスから信号を受信するようにも動作可能である。
【００１３】
第２のモード中に、Ａ／Ｖ装置１００は、ピクチャ・クロッピング機能を実施するように動作可能である。例示的な一実施例によれば、Ａ／Ｖ装置１００は、ユーザ入力デバイス１０を介したユーザ入力に応答して、ピクチャ・クロッピング機能を実施する。具体的には、本発明は、ユーザがユーザ入力デバイス１０の個別ナビゲーション・キーを使用してピクチャをクロップできるようにする。個別ナビゲーション・キーを使用してピクチャ・クロッピング機能を実施することは、ユーザが所望の方式でピクチャの縁部を正確に調整することを可能にするので、特に有利である。Ａ／Ｖ装置１００に関するこれ以上の詳細は、後で本明細書に提供する。
【００１４】
図２を参照すると、図１のユーザ入力デバイス１０の例示的な詳細をさらに提供する図が示されている。図２に示すように、ユーザ入力デバイス１０は、左矢印キー１１、上矢印キー１３、右矢印キー１５、および下矢印キー１７を含めた個別ナビゲーション・キーを備え、これらのキーによりユーザは、ピクチャの各縁部を独立して調整し、それにより元ピクチャとは異なるアスペクト比のクロップ済みピクチャを生成することができる。ユーザ入力デバイス１０は所定キー１９も備え、この所定キー１９によりユーザは、ピクチャの種々の縁部間で縁部調整機能を切り換えることができ、またクロップ済みピクチャの各縁部について所望の位置の選択を確定することができる。例および説明のために、図２では所定キー１９を「ＯＫ」キーとして示す。しかし、所定キー１９は、「Ｅｎｔｅｒ」や「Ｓｅｌｅｃｔ」など、その他の符号を有することもできる。ユーザ入力デバイス１０はまた、図２に特に示したキーに加えて、Ａ／Ｖ装置１００の様々な機能をユーザが制御できるようにするその他のキーを有してもよい。ユーザ入力デバイス１０の前述のキーをどのように使用してクロップ済みピクチャを生成することができるかに関するこれ以上の詳細は、後で本明細書に提供する。
【００１５】
図３を参照すると、図１のＡ／Ｖ装置１００の例示的な詳細をさらに提供するブロック図が示されている。図３のＡ／Ｖ装置１００は、フロント・パネル・アセンブリ（ＦＰＡ）２０などのフロント・パネル手段と、増幅器３０などの増幅手段と、Ｉ／Ｏブロック４０などの入力／出力（Ｉ／Ｏ）手段と、Ａ／Ｖプロセッサ５０などの第１の処理手段と、ピクチャ・プロセッサ６０などの第２の処理手段と、記憶媒体７０などのデータ記憶手段とを備える。図３のこれらの要素のいくつかは、集積回路（ＩＣ）を使用して実現することができ、いくつかの要素は、例えば１つまたは複数のＩＣに搭載することができる。記述を明瞭にするために、ある種の制御信号、電力信号、および／または他の要素など、Ａ／Ｖ装置１００に関連するいくつかの従来要素は、図３には示していない場合がある。
【００１６】
ＦＰＡ２０は、ユーザ入力デバイス１０からユーザ入力を受け取り、ユーザ入力に対応する信号を増幅器３０に出力するように動作可能である。例示的な一実施例によれば、ＦＰＡ２０は、ユーザ入力デバイス１０からＩＲおよび／またはＲＦ信号などの信号を受け取り、対応する信号を生成し、これらの信号を増幅器３０に出力する。増幅器３０は、ＦＰＡ２０から提供された信号を、Ａ／Ｖプロセッサ５０およびピクチャ・プロセッサ６０への出力に向けて増幅するように動作可能である。
【００１７】
Ｉ／Ｏブロック４０は、Ａ／Ｖ装置１００のＩ／Ｏ機能を実施するように動作可能である。例示的な一実施例によれば、Ｉ／Ｏブロック４０は、地上、ケーブル、衛星、インターネット、および／またはその他の信号源など、１つまたは複数の信号源から、アナログおよび／またはディジタル・フォーマットのオーディオおよび／またはビデオ信号を含めた信号を受信するように動作可能である。Ｉ／Ｏブロック４０はまた、処理済み信号を１つまたは複数の他のデバイスに出力するとともに、このようなデバイスから信号を受信するようにも動作可能である。
【００１８】
Ａ／Ｖプロセッサ５０は、様々なＡ／Ｖ信号処理を実施し、Ａ／Ｖ装置１００の機能を制御するように動作可能である。例示的な一実施例によれば、Ａ／Ｖプロセッサ５０は、Ａ／Ｖ装置１００の第１のモード中に、同調、復調、順方向誤り訂正、トランスポート処理機能、および復号機能を含めた機能を実施することによって、Ｉ／Ｏブロック４０から提供されたオーディオおよび／またはビデオ信号を処理し、それにより、オーディオおよび／またはビデオ・コンテンツを表すディジタル・データを生成する。第１のモード中にこのような処理機能から作成されたディジタル・データは、次の処理および出力に向けて提供することができる。
【００１９】
ピクチャ・プロセッサ６０は、ピクチャ・クロッピング機能を含めた様々なピクチャ処理機能を実施するように動作可能である。例示的な一実施形態によれば、ピクチャ・プロセッサ６０はピクチャ処理機能を実施するが、このピクチャ処理機能によりユーザは、ユーザ入力デバイス１０の左矢印キー１１、上矢印キー１３、右矢印キー１５、下矢印キー１７、および所定キー１９を使用して、Ａ／Ｖ装置１００の第２のモード中にピクチャをクロップすることができる。ピクチャ・プロセッサ６０は、前述の個別ナビゲーション・キー１１、１３、１５、１７および所定キー１９を使用して、ユーザがピクチャの各縁部を独立して調整して元ピクチャとは異なるアスペクト比のクロップ済みピクチャを生成できるようにする。ピクチャ・プロセッサ６０は、いくつかのコンポーネントをＡ／Ｖプロセッサ５０と共有することができ、また、同じ１つのＩＣ上、または異なる複数のＩＣ上に実装されてよい。単一のプロセッサを使用して、Ａ／Ｖプロセッサ５０とピクチャ・プロセッサ６０の両方の機能を実施することもできる。
【００２０】
記憶媒体７０は、Ａ／Ｖ装置１００を使用してクロップできるピクチャを含む１つまたは複数のピクチャ・ファイルなど、ディジタル・データを記憶するように動作可能である。記憶媒体７０に含まれるピクチャは、ＪＰＥＧなど任意の適したフォーマットで符号化されたものとすることができる。例示的な一実施例によれば、記憶媒体は、フロッピー・ディスク、コンパクト・ディスク、フラッシュ・メモリ・カード、または、ピクチャ・ファイルを記憶することのできるその他の記憶媒体など、任意のタイプの記憶媒体として実現することができる。例示的な一実施例によればまた、記憶媒体７０は携帯型であり、記憶媒体７０に記憶されたピクチャ・ファイルは、ディジタル・カメラやその他のデバイスなどのピクチャ取得デバイスから直接にＡ／Ｖ装置１００にロードすることができる。
【００２１】
本発明のよりよい理解を容易にするために、次に例を提供する。図４を参照すると、本発明の例示的な一実施例によるステップを示すフローチャート４００が示されている。例および説明のために、図４のステップは、本明細書に述べたユーザ入力デバイス１０およびＡ／Ｖ装置１００に関して述べる。図４のステップは、Ａ／Ｖ装置１００の第２のモード中に実施されることに留意されたい。Ａ／Ｖ装置１００の第２のモードは、例えば、ユーザ入力デバイス１０を介したＡ／Ｖ装置１００へのユーザ入力に応答して、且つ／または記憶媒体７０をＡ／Ｖ装置１００に挿入することによって、アクティブ化することができる。図４のステップは例示に過ぎず、本発明をどんな形式でも限定するものではない。
【００２２】
ステップ４１０で、Ａ／Ｖ装置１００は、クロップすべきピクチャを含むピクチャ・ファイルを読み取る。例示的な一実施例によれば、ステップ４１０では、ピクチャ・プロセッサ６０が記憶媒体７０からピクチャ・ファイルを読み取る。ステップ４１０で読み取られるピクチャ・ファイルは、ＪＰＥＧなど任意の適したフォーマットで符号化されたものとすることができる。ステップ４２０で、Ａ／Ｖ装置１００は、ステップ４１０で読み取ったピクチャ・ファイルをデコードする。例示的な一実施例によれば、ピクチャ・プロセッサ６０がピクチャ・ファイルをデコードし、それによりデコード済みピクチャ・ファイルを生成する。
【００２３】
ステップ４３０で、Ａ／Ｖ装置１００は、クロップすべきピクチャの表示を可能にする。例示的な一実施例によれば、ステップ４３０では、復号済みピクチャ・ファイルのピクチャの１つを選択するユーザ入力がユーザ入力デバイス１０を介してＡ／Ｖ装置１００に与えられるのに応答して、ピクチャ・プロセッサ６０が、表示を可能にする信号を出力する。このようなピクチャの例を、図５の図５００として表す。図５に示すように、クロップすべきピクチャは、ＡとＢの２つの要素を含む。例および説明のために、以下、ユーザは図５のピクチャをクロップして要素Ａを除去する。
【００２４】
ステップ４４０で、Ａ／Ｖ装置１００は、ユーザがユーザ入力デバイス１０の個別ナビゲーション・キーを使用して表示ピクチャをクロップできるようにする。例示的な一実施例によれば、ステップ４４０では、ユーザ入力デバイス１０の前述の左矢印キー１１、上矢印キー１３、右矢印キー１５、および下矢印キー１７を使用して、ピクチャの各縁部を独立して調整し、それにより元ピクチャとは異なるアスペクト比のクロップ済みピクチャを生成することができる。ステップ４４０では、ユーザ入力デバイス１０の所定キー１９を使用して、ピクチャの種々の縁部間で縁部調整機能を切り換えることができ、また、クロップ済みピクチャの各縁部について所望の位置の選択を確定することもできる。
【００２５】
例示的な一実施例によれば、ステップ４４０では、ユーザ入力デバイス１０の左矢印キー１１、上矢印キー１３、右矢印キー１５、下矢印キー１７、および所定キー１９を以下のように使用して、表示ピクチャの４つの縁部それぞれを調整することができる。
【００２６】
＊ピクチャの左縁部
左矢印キー１１：左矢印キー１１が押される度に、ピクチャの左縁部が、左端限界（例えばピクチャの元の左縁部）に達するまで左にインクリメンタルに移動する。
上矢印キー１３：アクションなし。
右矢印キー１５：右矢印キー１５が押される度に、ピクチャの左縁部が、右端限界（例えばピクチャの元の右縁部であり、その場合、ピクチャは細い帯しか残らない）から所定距離になるまで右にインクリメンタルに移動する。図６の参照符号６００に、右矢印キー１５を介してどのようにピクチャの左縁部を右に移動させることができるかについての例を示す。図６に示すように、ピクチャの左縁部が右に動かされて、要素Ａが除去されている。
下矢印キー１７：アクションなし。
所定キー１９：所定キー１９が最初に押されると、左縁部の所望位置の選択が確定される。所定キー１９が２回目に押されると、縁部調整機能が左縁部から上縁部に直角に切り換わる。
【００２７】
＊ピクチャの上縁部
左矢印キー１１：アクションなし。
上矢印キー１３：上矢印キー１３が押される度に、ピクチャの上縁部が、上端限界（例えばピクチャの元の上縁部）に達するまで上にインクリメンタルに移動する。
右矢印キー１５：アクションなし。
下矢印キー１７：下矢印キー１７が押される度に、ピクチャの上縁部が、下端限界（例えばピクチャの元の下縁部であり、その場合、ピクチャは細い帯しか残らない）から所定距離になるまで下にインクリメンタルに移動する。
所定キー１９：所定キー１９が最初に押されると、上縁部の所望位置の選択が確定される。所定キー１９が２回目に押されると、縁部調整機能が上縁部から右縁部に直角に切り換わる。
【００２８】
＊ピクチャの右縁部
左矢印キー１１：左矢印キー１１が押される度に、ピクチャの右縁部が、左端限界（例えばピクチャの元の左縁部であり、その場合、ピクチャは細い帯しか残らない）から所定距離になるまで左にインクリメンタルに移動する。
上矢印キー１３：アクションなし。
右矢印キー１５：右矢印キー１５が押される度に、ピクチャの右縁部が、右端限界（例えばピクチャの元の右縁部）に達するまで右にインクリメンタルに移動する。
下矢印キー１７：アクションなし。
所定キー１９：所定キー１９が最初に押されると、右縁部の所望位置の選択が確定される。所定キー１９が２回目に押されると、縁部調整機能が右縁部から下縁部に直角に切り換わる。
【００２９】
＊ピクチャの下縁部
左矢印キー１１：アクションなし。
上矢印キー１３：上矢印キー１３が押される度に、ピクチャの下縁部が、上端限界（例えばピクチャの元の上縁部であり、その場合、ピクチャは細い帯しか残らない）から所定距離になるまで上にインクリメンタルに移動する。図７の参照符号７００に、上矢印キー１３を介してどのようにピクチャの下縁部を上に移動させることができるかについての例を示す。図７に示すように、ピクチャの下縁部が上に動かされて、要素Ａが除去されている。
右矢印キー１５：アクションなし。
下矢印キー１７：下矢印キー１７が押される度に、ピクチャの下縁部が、下端限界（例えばピクチャの元の下縁部）に達するまで下にインクリメンタルに移動する。
所定キー１９：所定キー１９が最初に押されると、下縁部の所望位置の選択が確定される。所定キー１９が２回目に押されると、縁部調整機能が下縁部から左縁部に直角に切り換わる。
【００３０】
その他のシーケンス、例えば左−右−上−下や、左−右−下−上を使用することもできる。
【００３１】
ステップ４５０で、Ａ／Ｖ装置１００は、ステップ４４０で生成したクロップ済みピクチャを記憶する。例示的な一実施例によれば、ステップ４５０では、ピクチャ・プロセッサ６０が、ステップ４４０で生成されたクロップ済みピクチャを、記憶媒体７０に記憶されるようにする。図８の参照符号８００に、ステップ４４０で生成されたクロップ済みピクチャの例を示す。図８に示すように、クロップ済みピクチャは要素Ｂのみを含み、元ピクチャからの要素Ａはピクチャ・クロッピング機能を介して除去されている。ステップ４５０では、クロップ済みピクチャを種々の方法で記憶することができる。例示的な一実施例によれば、ピクチャ・プロセッサ６０はステップ４５０で、新しい縁部の配置のみを表すデータを記憶媒体７０が記憶するようにすることができる。この場合、元ピクチャは依然として記憶媒体７０上に存在し、新しい縁部配置がピクチャの属性として記憶されることになる。別の例示的な実施例によれば、ピクチャ・プロセッサ６０は、クロップ済みピクチャ全体を表すデータを記憶媒体７０が記憶するようにすることができる。
【００３２】
ステップ４６０で、Ａ／Ｖ装置１００は、ステップ４４０で生成しステップ４５０で記憶したクロップ済みピクチャの表示を可能にする。ステップ４５０および４６０は例えば、同時に実施してもよく、あるいはほぼ同時に実施してもよい。例示的な一実施例によれば、ステップ４６０では、ピクチャ・プロセッサ６０が、クロップ済みピクチャの表示を可能にする信号を出力する。ステップ４６０で表示されるクロップ済みピクチャの例を、図９の参照符号９００に表す。図９に示すように、クロップ済みピクチャは要素Ｂのみを含み、要素Ａはピクチャ・クロッピング機能を介して除去されている。図４のステップを実施した後、Ａ／Ｖ装置１００は例えば、ユーザ入力デバイス１０を介したＡ／Ｖ装置１００へのユーザ入力に応答して、第２のモードから第１のモードに切り換わることができる。
【００３３】
本明細書に述べたように、本発明は、ユーザがユーザ入力デバイスの個別ナビゲーション・キーを使用して好都合且つ直接的な方式でピクチャをクロップすることをとりわけ可能にするピクチャ・クロッピング機能を提供するための方法および装置を提供する。本発明は、一体型の表示デバイス有りまたは無しの、様々な装置に適用可能とすることができる。従って、本明細書における「Ａ／Ｖ装置」、「消費者用電子デバイス」、または「テレビジョン信号受信機」という語句は、一体型の表示デバイスを備えるテレビジョン・セットまたはモニタを含めた（これらに限定されない）システムまたは装置と、一体型の表示デバイスを備えない場合のあるセットトップ・ボックス、ビデオ・カセット・レコーダ（ＶＣＲ）、ディジタル多用途ディスク（ＤＶＤ）プレーヤおよびレコーダ、ビデオ・ゲーム・ボックス、パーソナル・ビデオ・レコーダ（ＰＶＲ）、その他の装置などのシステムまたは装置とを指すことができる。
【００３４】
好ましい設計を有するものとして本発明を述べたが、本発明は、本開示の趣旨および範囲の内でさらに変更することができる。従って、本出願は、本発明の一般原理を利用する本発明のどんな変形、使用、または適用をも包含するものとする。さらに、本出願は、本発明が関連する技術分野における既知のまたは慣用の実施に含まれ、添付の特許請求の範囲に入る、本開示からの逸脱をも包含するものとする。
【図面の簡単な説明】
【００３５】
【図１】本発明を実施するのに適した例示的な環境の図である。
【図２】図１のユーザ入力デバイスの例示的な詳細をさらに示す図である。
【図３】図１の装置の例示的な詳細をさらに示すブロック図である。
【図４】本発明の例示的な一実施例によるステップを示すフローチャートである。
【図５】本発明の例示的な一実施例によるピクチャ・クロッピング機能を示す図である。
【図６】本発明の例示的な一実施例によるピクチャ・クロッピング機能を示す図である。
【図７】本発明の例示的な一実施例によるピクチャ・クロッピング機能を示す図である。
【図８】本発明の例示的な一実施例によるピクチャ・クロッピング機能を示す図である。
【図９】本発明の例示的な一実施例によるピクチャ・クロッピング機能を示す図である。
【図１】
2008519469.tif 000003
【図２】
2008519469.tif 000004
【図３】
2008519469.tif 000005
【図４】
2008519469.tif 000006
【図５】
2008519469.tif 000007
【図６】
2008519469.tif 000008
【図７】
2008519469.tif 000009
【図８】
2008519469.tif 000010
【図９】
2008519469.tif 000011
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
装置を操作する方法であって、
ビデオ画像を表すビデオ信号を提供するステップと、
ユーザが前記装置のユーザ入力デバイスのナビゲーション・キーを使用して前記ビデオ画像をクロップできるようにするステップとを含む、前記方法。
【請求項２】
前記ビデオ画像の各縁部が独立してクロップされて、前記ビデオ画像とは異なるアスペクト比のクロップ済みビデオ画像が生成される、請求項１に記載の方法。
【請求項３】
前記ビデオ画像は第１、第２、第３、および第４の縁部を備え、
前記第１の縁部は前記第２の縁部に対して直角であり、
前記第２の縁部は前記第３の縁部に対して直角であり、
前記第３の縁部は前記第４の縁部に対して直角であり、
前記第４の縁部は前記第１の縁部に対して直角であり、
前記ユーザ入力デバイスは第１、第２、第３、および第４のナビゲーション・キーを備え、
前記第１および第３のナビゲーション・キーは、前記ユーザが前記第１および第３の縁部を調整することを可能にし、
前記第２および第４のナビゲーション・キーは、前記ユーザが前記第２および第４の縁部を調整することを可能にする、請求項１に記載の方法。
【請求項４】
前記ユーザ入力デバイスはさらに所定キーを備え、
前記所定キーは、前記ユーザが前記第１、第２、第３、および第４の縁部について所定位置の選択を確定するのを可能にする、請求項３に記載の方法。
【請求項５】
前記所定キーはさらに、前記ユーザが前記第１、第２、第３、および第４の縁部の間で縁部調整機能を切り換えることを可能にする、請求項４に記載の方法。
【請求項６】
前記ビデオ画像は、前記ビデオ画像を取得したデバイスから直接に前記装置に入力される、請求項１に記載の方法。
【請求項７】
ビデオ画像を表すビデオ信号を提供するための第１の処理手段と、
ユーザが装置のユーザ入力デバイスのナビゲーション・キーを使用して前記ビデオ画像をクロップできるようにする第２の処理手段とを備える装置。
【請求項８】
前記第２の処理手段は、前記ユーザが前記ビデオ画像の各縁部を独立して調整して、前記ビデオ画像とは異なるアスペクト比のクロップ済みビデオ画像を生成できるようにする、請求項７に記載の装置。
【請求項９】
前記ビデオ画像は第１、第２、第３、および第４の縁部を備え、
前記第１の縁部は前記第２の縁部に対して直角であり、
前記第２の縁部は前記第３の縁部に対して直角であり、
前記第３の縁部は前記第４の縁部に対して直角であり、
前記第４の縁部は前記第１の縁部に対して直角であり、
前記ユーザ入力デバイスは第１、第２、第３、および第４のナビゲーション・キーを備え、
前記第１および第３のナビゲーション・キーは、前記ユーザが前記第１および第３の縁部を調整することを可能にし、
前記第２および第４のナビゲーション・キーは、前記ユーザが前記第２および第４の縁部を調整することを可能にする、請求項７に記載の装置。
【請求項１０】
前記ユーザ入力デバイスはさらに所定キーを備え、
前記所定キーは、前記ユーザが前記第１、第２、第３、および第４の縁部について所定位置の選択を確定することを可能にする、請求項９に記載の装置。
【請求項１１】
前記所定キーはさらに、前記ユーザが前記第１、第２、第３、および第４の縁部の間で縁部調整機能を切り換えることを可能にする、請求項１０に記載の装置。
【請求項１２】
前記ピクチャは、前記ピクチャを取得したデバイスから直接に前記装置に入力される、請求項７に記載の装置。
【請求項１３】
ビデオ画像を表すビデオ信号を提供するように動作可能な第１のプロセッサと、
ユーザがテレビジョン信号受信機のユーザ入力デバイスのナビゲーション・キーを使用して前記ビデオ画像をクロップできるようにするように動作可能な第２のプロセッサとを備えるテレビジョン信号受信機。
【請求項１４】
前記第２のプロセッサは、前記ユーザが前記ビデオ画像の各縁部を独立して調整して、前記ビデオ画像とは異なるアスペクト比のクロップ済みビデオ画像を生成できるようにする、請求項１３に記載のテレビジョン信号受信機。
【請求項１５】
前記ビデオ画像は第１、第２、第３、および第４の縁部を備え、
前記第１の縁部は前記第２の縁部に対して直角であり、
前記第２の縁部は前記第３の縁部に対して直角であり、
前記第３の縁部は前記第４の縁部に対して直角であり、
前記第４の縁部は前記第１の縁部に対して直角であり、
前記ユーザ入力デバイスは第１、第２、第３、および第４のナビゲーション・キーを備え、
前記第１および第３のナビゲーション・キーは、前記ユーザが前記第１および第３の縁部を調整することを可能にし、
前記第２および第４のナビゲーション・キーは、前記ユーザが前記第２および第４の縁部を調整することを可能にする、請求項１３に記載のテレビジョン信号受信機。
【請求項１６】
前記ユーザ入力デバイスはさらに所定キーを備え、
前記所定キーは、前記ユーザが前記第１、第２、第３、および第４の縁部について所定位置の選択を確定することを可能にする、請求項１５に記載のテレビジョン信号受信機。
【請求項１７】
前記所定キーはさらに、前記ユーザが前記第１、第２、第３、および第４の縁部の間で縁部調整機能を切り換えることを可能にする、請求項１６に記載のテレビジョン信号受信機。
【請求項１８】
前記ピクチャは、前記ビデオ画像を取得したデバイスから直接に前記テレビジョン信号受信機に入力される、請求項１３に記載のテレビジョン信号受信機。
【国際調査報告】
2008519469.tif 000012